(57)【特許請求の範囲】
【請求項１】
同一寸法の矩形状の、折り曲げて形成された表裏の表紙紙片と２枚の中間紙片が、一方の端縁の接着部にて端縁を揃えて接着され、一方の端縁の前記接着部の内側近傍に前記接着部に平行に表紙紙片と中間紙片を貫通する開封用ミシン目が形成され、一方の表紙紙片と前記表紙紙片と対向する中間紙片とが一方の端縁の前記開封用のミシンの内側近傍にて接着された構成からなることを特徴とする広告用チラシ。
【請求項２】
同一寸法の矩形状の表裏の表紙紙片と前記表紙紙片より幅の狭い２枚の中間紙片が一方の端縁の接着部にて端縁を揃えて接着され、表裏の表紙紙片の他方の端縁が接着部にて接着され、一方の端縁の前記接着部の内側近傍に前記接着部に平行に表紙紙片と中間紙片を貫通する開封用ミシン目が形成され、一方の表紙紙片と前記表紙紙片と対向する中間紙片とが一方の端縁の前記開封用のミシンの内側近傍にて接着された構成からなることを特徴とする広告用チラシ。
【請求項３】
同一寸法の矩形状の、折り曲げて形成された表裏の表紙紙片と２枚の中間紙片が、一方の端縁の接着部にて端縁を揃えて接着され、一方の端縁の前記接着部の内側近傍に前記接着部に平行に表紙紙片と中間紙片を貫通する開封用ミシン目が形成され、表裏の表紙紙片と前記表紙紙片とそれぞれ対向する中間紙片とが一方の端縁の前記開封用のミシンの内側近傍にて接着された構成からなることを特徴とする広告用チラシ。
【請求項４】
同一寸法の矩形状の表裏の表紙紙片と前記表紙紙片より幅の狭い２枚の中間紙片が一方の端縁の接着部にて端縁を揃えて接着され、表裏の表紙紙片の他方の端縁が接着部にて接着され、一方の端縁の前記接着部の内側近傍に前記接着部に平行に表紙紙片と中間紙片を貫通する開封用ミシン目が形成され、表裏の表紙紙片と前記表紙紙片とそれぞれ対向する中間紙片とが一方の端縁の前記開封用のミシンの内側近傍にて接着された構成からなることを特徴とする広告用チラシ。
【請求項５】
２台の輪転印刷機を使用し、一方の輪転印刷機にてロール状の広幅用紙に、他方の輪転印刷機にて前記広幅用紙の幅より狭い幅のロール状の狭幅用紙にそれぞれ絵柄ピッチが同一な印刷を行う工程と、他方の輪転印刷機にて印刷された狭幅用紙を一方の輪転印刷機にて印刷された広幅用紙に、広幅用紙の幅方向の中央に狭幅用紙が位置するように且つ狭幅用紙の中央を流れ方向にスリットした状態で重ね合わせて、広幅用紙の両側の端縁から広幅用紙の幅の１／４の長さだけ内側の位置にてそれぞれ広幅用紙と狭幅用紙を接着する工程と、重ね合わせた広幅用紙と狭幅用紙を広幅用紙の幅方向の中央にて狭幅用紙を挟み込むように流れに平行方向に折り曲げ、広幅用紙の一方の端縁と他方の端縁間及び広幅用紙の端縁から広幅用紙の幅の１／４の長さだけ内側の位置にて対向する狭幅用紙間を接着する工程と、折り曲げられた広幅用紙の幅方向の中央の両側近傍に流れに平行に広幅用紙と狭幅用紙を貫通する開封用ミシン目を形成する工程と、折り曲げられて接着された広幅用紙と狭幅用紙を流れに直交方向の所定位置にてカットするとともに折り曲げられた広幅用紙の幅方向の中央部にて流れに平行方向にカットする工程からなることを特徴とする広告用チラシの製造方法。
【発明の詳細な説明】
【０００１】
【発明の属する技術分野】
主に新聞折り込み用等に使用される部分的に封緘された広告用チラシであって、封緘部を切り取って開封することにより、１枚又は２枚の切り離された紙片が得られる構成、ないしは横方向に長く連接された１枚の紙片が得られる構成の広告用チラシ及びその製造方法に関する。
【０００２】
【従来の技術】
従来、引換券やクーポン券等が切り取り可能に添付された広告用のチラシとしては、チラシの一部分が引換券やクーポン券等とされて切り取り可能に形成されている構成のものは知られている。しかしながら、上記のチラシは１枚ものが一般的であり、あまりにも見慣れた形態であるため、顧客吸引力に乏しくなってきており、また印刷面積も限られているという問題がある。
【０００３】
【発明が解決しようとする課題】
本発明は、顧客吸引力が高く且つ印刷面積の大きい付録つきチラシ及びその製造方法を提供することにある。
【０００４】
【課題を解決するための手段】
同一寸法の矩形状の、折り曲げて形成された表裏の表紙紙片と２枚の中間紙片が、一方の端縁の接着部にて端縁を揃えて接着され、一方の端縁の前記接着部の内側近傍に前記接着部に平行に表紙紙片と中間紙片を貫通する開封用ミシン目が形成された構成の広告用チラシとすることにより、開封用ミシン目にて切り取り開封すると、表裏の表紙紙片が端縁で折目により横方向に連接された大きい紙片と、中間紙片が切り離された２枚の紙片ができるので、表紙紙片が横方向に連接された大きい紙片は広告用に、分離された紙片はクーポン券や応募券として利用することができる。
【０００５】
同一寸法の矩形状の表裏の表紙紙片と前記表紙紙片より幅の狭い２枚の中間紙片が一方の端縁の接着部にて端縁を揃えて接着され、表裏の表紙紙片の他方の端縁が接着部にて接着され、一方の端縁の前記接着部の内側近傍に前記接着部に平行に表紙紙片と中間紙片を貫通する開封用ミシン目が形成された構成の広告用チラシとすることにより、開封用のミシン目にて切り取り開封すると、表裏の表紙紙片が端縁で接着されて横方向に連接された大きい紙片と、中間紙片が切り離された２枚の紙片ができるので、表紙紙片が横方向に連接された大きい紙片は広告用に、分離された紙片はクーポン券や応募券として利用することができる。
【０００６】
上記の広告用チラシにおいて、一方の表紙紙片と前記表紙紙片と対向する中間紙片とが一方の端縁の開封用ミシン目の内側近傍にて接着された構成とすることにより、この広告用チラシを開封すると、２枚の表紙紙片と１枚の中間紙片とが横方向に連接された大きい紙片と、切り離された１枚の中間紙片に分離できるので、大きい紙片は広告用に、分離された１枚の紙片はクーポン券や応募券として利用することができる。
【０００７】
上記の広告用チラシにおいて、表裏２枚の表紙紙片と前記表紙紙片とそれぞれ対向する中間紙片とが一方の端縁の開封用ミシン目の内側近傍にて接着された構成とすることにより、この広告用チラシを開封すると、２枚の表紙紙片と２枚の中間紙片とが横方向に連接された大きい紙片が得られるので、横方向に大きい広告を印刷するのに利用できる。
【０００８】
２台の輪転印刷機を使用し、一方の輪転印刷機にてロール状の広幅用紙に、他方の輪転印刷機にて前記広幅用紙の幅より狭い幅のロール状の狭幅用紙にそれぞれ絵柄ピッチが同一な印刷を行う工程と、他方の輪転印刷機にて印刷された狭幅用紙を一方の輪転印刷機にて印刷された広幅用紙に、広幅用紙の幅方向の中央に狭幅用紙が位置するように且つ狭幅用紙の中央を流れ方向にスリットした状態で重ね合わせて、広幅用紙の両側の端縁から広幅用紙の幅の１／４の長さだけ内側の位置にてそれぞれ広幅用紙と狭幅用紙を接着する工程と、重ね合わせた広幅用紙と狭幅用紙を広幅用紙の幅方向の中央にて狭幅用紙を挟み込むように流れに平行方向に折り曲げ、広幅用紙の一方の端縁と他方の端縁間及び広幅用紙の端縁から広幅用紙の幅の１／４の長さだけ内側の位置にて対向する狭幅用紙間を接着する工程と、折り曲げられた広幅用紙の幅方向の中央の両側近傍に流れに平行に広幅用紙と狭幅用紙を貫通する開封用ミシン目を形成する工程と、折り曲げられて接着された広幅用紙と狭幅用紙を流れに直交方向の所定位置にてカットするとともに折り曲げられた広幅用紙の幅方向の中央部にて流れに平行方向にカットする工程からなることを特徴とする広告用チラシの製造方法とすることにより、ミシン目から開封して横方向に２倍の幅を有する１枚の紙片と２枚の切り離された紙片が得られる広告用チラシを効率的に大量生産することが可能となりコストダウンを図ることができる。
【０００９】
【発明の実施の形態】
以下、図面を引用して本発明の実施の形態を説明する。
図１は本発明の第１実施形態の広告用チラシを示す平面図、図２は図１に於けるＩ−Ｉ断面図、図３は第１実施形態の広告用チラシの開封した状態を示す斜視図、図４は本発明の第２実施形態を示す図２に対応する断面図、図５は本発明の第３実施形態を示す図２に対応する断面図、図６は第３実施形態の広告用チラシの開封した状態を示す斜視図、図７は本発明の第４実施形態を示す図２に対応する断面図、図８は本発明の第５実施形態を示す図２に対応する断面図、図９は第５実施形態の広告用チラシの開封した状態を示す斜視図、図１０は本発明の第６実施形態を示す図２に対応する断面図、図１１は実施形態の広告用チラシを作製する工程を示す図、図１２は図１１に於けるII−II断面図、図１３は第１、第２実施形態の広告用チラシを作製する工程を示す図１２に対応する断面図、図１４は第１、第２実施形態の広告用チラシを作製する工程を示す図、図１５は第３、第４実施形態の広告用チラシを作製する工程を示す図、図１６は第５、第６実施形態の広告用チラシを作製する工程を示す図であって、1a, 1bは表紙紙片、2a, 2bは中間紙片、３は開封用ミシン目、4a, 4b, 4c，５，6a, 6bは接着部、７は折目線、８はスリット、9a, 9bはカット線、Ａは広幅用紙、Ｂは狭幅用紙をそれぞれ表す。
【００１０】
第１実施形態の広告用チラシは図１、図２に示すとおりであり、折目７にて折り曲げて形成された表裏の表紙紙片1a,1b と２枚の中間紙片2a, 2bを、一方の端縁にて表紙紙片1a,1b の端縁と２枚の中間紙片2a, 2bの端縁を揃えて接着部4a, 4b, 4cにて接着して綴じられ、一方の端縁の接着部4a, 4b, 4cの内側近傍に接着部4a, 4b, 4cに平行に表裏の表紙紙片1a,1b と２枚の中間紙片2a, 2bを貫通する開封用ミシン目３が形成された構成である。
【００１１】
第１実施形態の広告用チラシを開封用ミシン目３にて切り取り開封して広げた状態は、図３に示すとおりであり、表裏の表紙紙片1a,1b が折目７にて連接された横方向に２倍の幅を有する１枚の大きい紙片と、２枚の中間紙片2a, 2bが開封用ミシン目３にて切り取られて接着部4a, 4b, 4cから切り離された２枚の紙片とに分離したものとなる。第１実施形態の場合、開封することにより、横方向に広い１枚の紙片と分離した２枚の紙片が得られるので、大きい紙片は広告用の印刷を行うことが可能であり、分離した小さい２枚の紙片はクーポン券や応募券等として使用することかできる。
【００１２】
第２実施形態の広告用チラシは平面形状は図１と同じで断面構成は図４に示すとおりであって、表裏の表紙紙片1a,1b と２枚の中間紙片2a, 2bを、一方の端縁にて表紙紙片1a,1b の端縁と２枚の中間紙片2a, 2bの端縁を揃えて接着部4a, 4b, 4cにて接着して綴じられ、表紙紙片1a,1b の他方の端縁が接着部５にて接着され、一方の端縁の接着部4a, 4b, 4cの内側近傍に接着部4a, 4b, 4cに平行に表裏の表紙紙片1a,1b と２枚の中間紙片2a, 2bを貫通する開封用ミシン目３が形成された構成である。第２実施形態の広告用チラシを開封すると、表紙紙片1a,1b が端縁にて接着部５にて接着された横方向に広い１枚の紙片と分離した２枚の紙片が得られるので、大きい紙片は広告用の印刷を行うことが可能であり、分離した小さい２枚の紙片はクーポン券や応募券等として使用することかできる。
【００１３】
第３実施形態の広告用チラシは平面形状は図１と同じで断面構成は図５に示すとおりであって、第１実施形態の広告用チラシと比較して、表紙紙片1bと中間紙片2b間が開封用ミシン目３の内側近傍にて接着部6bにて接着された構成となっている以外は同じ構成である。
【００１４】
第３実施形態の広告用チラシを開封用ミシン目３にて切り開封して広げた状態は、図６に示すとおりであって、表紙紙片1aと表紙紙片1bが折目７にて連接されるととに表紙紙片1bと中間紙片2bが接着部6aにて接着された横方向に３倍の幅を有する１枚の大きい紙片と、中間紙片2aが開封用ミシン目３にて切り取られて分離した１枚の切り離された紙片とになる。第３実施形態の場合、開封することにより、横方向に３倍の幅を有する１枚の紙片と切り離された１枚の紙片が得られるので、大きい紙片には広告用の印刷を行うことが可能となり、切り離された紙片はクーポン券や応募券等として使用することができる。
【００１５】
第４実施形態の広告用チラシの平面形状は図１と同じで断面構成は図７に示すとおりであって、第４実施形態の広告用チラシは、第２実施形態と比較して、表紙紙片1bと中間紙片2b間が開封用ミシン目３の内側近傍にて接着部6bにて接着された構成となっている以外は同じ構成である。第４実施形態の開封して広げた状態は、実質的には第３実施形態と同じであり、表紙紙片1aと表紙紙片1bが接着部５にて接着され表紙紙片1bと中間紙片2bが接着部6aにて接着された横方向に３倍の幅を有する１枚の大きい紙片と、中間紙片2aが開封用ミシン目３にて切り取られた分離した１枚の切り離された紙片が得られる。
【００１６】
第５実施形態の広告用チラシは平面形状は図１と同じで断面構成は図８に示すとおりであって、第１実施形態の広告用チラシと比較して、表紙紙片1aと中間紙片2a間及び表紙紙片1bと中間紙片2b間が開封用ミシン目３の内側近傍にて接着部6a及び接着部6bにて接着された構成となっている以外は同じ構成である。
【００１７】
第５実施形態の広告用チラシを開封用ミシン目３にて切り開封して広げた状態は、図９に示すとおりであって、表紙紙片1aと表紙紙片1bが折目７にて連接され、表紙紙片1aと中間紙片2aが接着部6aにて接着され、表紙紙片1bと中間紙片2bが接着部6bにて接着された形状の横方向に４倍の幅を有する１枚の紙片となる。第５実施形態の場合、開封することにより、横方向にきわめて広い１枚の紙片が得られるので横方向に大きい絵柄を印刷した広告用に有効に利用できる。
【００１８】
第６実施形態の広告用チラシの平面形状は図１と同じで断面構成は図１０に示すとおりであって、第６実施形態の広告用チラシは、第２実施形態と比較して、表紙紙片1aと中間紙片2a間及び表紙紙片1bと中間紙片2b間が開封用ミシン目３の内側近傍にて接着部6a及び接着部6bにて接着された構成となっている以外は同じ構成である。第６実施形態の開封して広げた状態は、実質的には第５実施形態と同じであり、表紙紙片1aと表紙紙片1bが接着部５にて接着され、表紙紙片1aと中間紙片2aが接着部6aにて接着され、表紙紙片1bと中間紙片2bが接着部6bにて接着された横方向に４倍の幅を有する１枚の大きい紙片となる。
【００１９】
実施形態１、２の広告用チラシの製造方法は下記の通りである。２台の輪転印刷機を使用し、一方の輪転印刷機にてロール状の広幅用紙Ａに、他方の輪転印刷機にて広幅用紙の幅のよりやや狭い幅のロール状の狭幅用紙Ｂにそれぞれ絵柄ピッチが同一な印刷を行い、他方の輪転印刷機にて印刷された狭幅用紙Ｂを、狭幅用紙Ｂの幅方向の中央を流れ方向にスリットした状態で、一方の輪転印刷機にて印刷された広幅用紙Ａの幅方向の中央に位置するように広幅用紙Ａに重ね合わせて、重ね合わせた広幅用紙Ａと狭幅用紙Ｂを広幅用紙Ａの端縁から広幅用紙Ａの幅の１／４の長さだけ内側の位置における接着部4aと接着部4bにて接着することにより図１１、図１２に示す状態とする。
【００２０】
印刷された広幅用紙Ａと狭幅用紙Ｂを重ね合わせて接着した状態では、図１１、図１２に示すように、狭幅用紙Ｂの幅方向の中央に形成されたスリット８が広幅用紙Ａの幅方向の中央に位置するように重ねられ、狭幅用紙Ｂの両側端から広幅用紙Ａの端縁部が所定幅だけ延出した状態で、広幅用紙Ａの両側端から広幅用紙Ａの幅の１／４の長さだけ内側の位置に形成された接着部4a及び接着部4bにて広幅用紙Ａと狭幅用紙Ｂが接着された状態となっている。広幅用紙Ａと狭幅用紙Ｂが接着された状態で、広幅用紙Ａの幅方向には表紙紙片1bと表紙紙片1aと表紙紙片1bと表紙紙片1aが面付けされるとともに狭幅用紙Ｂの幅方向には中間紙片2bと中間紙片2aと中間紙片2bと中間紙片2aが面付けされている。
【００２１】
図１１、図１２に示す状態から、狭幅用紙Ｂの接着部4a（又は接着部4b）に対応する反対面に接着部4cを形成するために接着剤を塗布するとともに、広幅用紙Ａの端縁部の狭幅用紙Ｂから所定幅だけ延出した部分に接着部５を形成するため接着剤を塗布して図１３に示す状態とし、重ね合わせられた広幅用紙Ａと狭幅用紙Ｂを狭幅用紙Ｂを内側に挟み込むように折目線７にて折り曲げて接着部4c及び接着部５にて接着することにより、図１４に示す折り畳まれて接着された状態とする。この状態で、接着部4a,4b,4cの外側近傍の位置に表紙紙片1a,1b と中間紙片2a,2b を貫通する開封用ミシン目３を形成した後に、図１１に示すロール状用紙の流れに直交方向のカット線9aにてカットするとともに幅方向の中央部のカット線9bにてカットすることにより、カット線9bより左側の部分が第１実施形態の広告用チラシとなりカット線9bより右側の部分が第２実施形態の広告用チラシとなり、第１、第２実施形態の広告用チラシを同時に作製することができる。
【００２２】
実施形態３、４の広告用チラシを製造するには、広幅用紙Ａと狭幅用紙Ｂを重ね合わせて接着した図１１、図１２に示す状態において、接着部4aの外側に所定間隔をおいて接着部6aを設けるとともに接着部4bの内側に所定間隔をおいて接着部6bを設けて広幅用紙Ａと狭幅用紙Ｂを重ね合わせて接着する以外は実施形態１、２の広告用チラシの製造と同様である。広幅用紙Ａと狭幅用紙Ｂを重ね合わせて接着して広幅用紙Ａの幅方向の中央の折目線７にて折り曲げて接着部4c及び接着部５にて接着することにより図１５に示す状態となる。この状態でカット線9bにてカットすることにより、カット線9bより左側の部分が第３実施形態の広告用チラシとなりカット線9bより右側の部分が第４実施形態の広告用チラシとなり、第３、第４実施形態の広告用チラシを同時に作製することができる。
【００２３】
実施形態５、６の広告用チラシを製造するには、広幅用紙Ａと狭幅用紙Ｂを重ね合わせて接着した図１１、図１２に示す状態において、接着部4aの外側及び内側に所定間隔をおいて接着部6aを設けるとともに接着部4bの外側及び内側に所定間隔をおいて接着部6bを設けて広幅用紙Ａと狭幅用紙Ｂを重ね合わせて接着する以外は実施形態１、２の広告用チラシの製造と同様である。広幅用紙Ａと狭幅用紙Ｂを重ね合わせて接着して広幅用紙Ａの幅方向の中央の折目線７にて折り曲げて接着部4c及び接着部５にて接着することにより図１６に示す状態となる。この状態でカット線9bにてカットすることにより、カット線9bより左側の部分が第５実施形態の広告用チラシとなりカット線9bより右側の部分が第６実施形態の広告用チラシとなり、第５、第６実施形態の広告用チラシを同時に作製することができる。
【００２４】
【発明の効果】
同一寸法の矩形状の、折り曲げて形成された表裏の表紙紙片と２枚の中間紙片が、一方の端縁の接着部にて端縁を揃えて接着され、一方の端縁の前記接着部の内側近傍に前記接着部に平行に表紙紙片と中間紙片を貫通する開封用ミシン目が形成された構成の広告用チラシ、ないしは同一寸法の矩形状の表裏の表紙紙片と前記表紙紙片より幅の狭い２枚の中間紙片が一方の端縁の接着部にて端縁を揃えて接着され、表裏の表紙紙片の他方の端縁が接着部にて接着され、一方の端縁の前記接着部の内側近傍に前記接着部に平行に表紙紙片と中間紙片を貫通する開封用ミシン目が形成された構成の広告用チラシとすることにより、開封すると、表裏の表紙紙片が横方向に連接された横方向に２倍の幅を有する大きい紙片と、切り離された２枚の紙片ができるので、大きい紙片は広告用に、分離された紙片はクーポン券や応募券として利用できる。
【００２５】
上記の広告用チラシにおいて、一方の表紙紙片と表紙紙片と対向する中間紙片とが一方の端縁の開封用ミシン目の内側近傍にて接着された構成とすることにより、開封すると横方向に３倍の幅を有する１枚の大きい紙片と１枚の切り離された紙片が得られ、大きい紙片は広告用に、切り離された紙片はクーポン券、応募券、ハガキ等として使用することができる。
【００２６】
上記の広告用チラシにおいて、表裏の表紙紙片と前記表紙紙片とそれぞれ対向する中間紙片とが一方の端縁の開封用ミシン目の内側近傍にて接着された構成とすることにより、開封すると横方向に４倍の幅を有する横方向にきわめて長い１枚の紙片が得られるので、この大きい紙片に横方向に大きい広告を印刷することができる。
【００２７】
２台の輪転印刷機にてロール状の広幅用紙及び狭幅用紙を使用して印刷インラインで加工して広告用チラシを製造する本発明の方法とすることにより、上記の広告用チラシを効率的に大量生産することが可能となるので、コストダウンを図ることができる。
【図面の簡単な説明】
【図１】本発明の第１実施形態の広告用チラシを示す平面図。
【図２】図１に於けるＩ−Ｉ断面図。
【図３】第１実施形態の広告用チラシの開封した状態を示す斜視図。
【図４】本発明の第２実施形態を示す図２に対応する断面図。
【図５】本発明の第３実施形態を示す図２に対応する断面図。
【図６】第３実施形態の広告用チラシの開封した状態を示す斜視図。
【図７】本発明の第４実施形態を示す図２に対応する断面図。
【図８】本発明の第５実施形態を示す図２に対応する断面図。
【図９】第５実施形態の広告用チラシの開封した状態を示す斜視図。
【図１０】本発明の第６実施形態を示す図２に対応する断面図。
【図１１】実施形態の広告用チラシを作製する工程を示す図。
【図１２】図１１に於けるII−II断面図。
【図１３】第１、第２実施形態の広告用チラシを作製する工程を示す図１２に対応する断面図。
【図１４】第１、第２実施形態の広告用チラシを作製する工程を示す図。
【図１５】第３、第４実施形態の広告用チラシを作製する工程を示す図。
【図１６】第５、第６実施形態の広告用チラシを作製する工程を示す図。
【符号の説明】
1a, 1b  表紙紙片                    ８  スリット
2a, 2b  中間紙片                    9a, 9b  カット線
３  開封用ミシン目                  Ａ  広幅用紙
4a, 4b, 4c，５，6a, 6b  接着部      Ｂ  狭幅用紙
７  折目線、
【図１】
0004170640.tif 000002
【図２】
0004170640.tif 000003
【図３】
0004170640.tif 000004
【図４】
0004170640.tif 000005
【図５】
0004170640.tif 000006
【図６】
0004170640.tif 000007
【図７】
0004170640.tif 000008
【図８】
0004170640.tif 000009
【図９】
0004170640.tif 000010
【図１０】
0004170640.tif 000011
【図１１】
0004170640.tif 000012
【図１２】
0004170640.tif 000013
【図１３】
0004170640.tif 000014
【図１４】
0004170640.tif 000015
【図１５】
0004170640.tif 000016
【図１６】
0004170640.tif 000017